(57)【要約】【課題】  収納や持ち運びが容易であると共に、加工性が高く、安価に製造できる工作用作業台を提供するものである。【解決手段】  拡大鏡２と、該拡大鏡２を支持する角度調整可能な支持具４と、該支持具と接続される台座５と、該台座を照らす向きで支持具４又は拡大鏡２に設けられる照明具３とからなる工作用作業台１であって、前記台座５と支持具４とが樹脂成形物である。台座５と支持具４との接続部分が着脱又は回転可能に設けられる。台座５に二カ所以上の凹部（５１、５２）が設けられてなる。【選択図】  図１
2006095608.tif 000002
【特許請求の範囲】
【請求項１】
拡大鏡と、該拡大鏡を支持する角度調整可能な支持具と、該支持具と接続される台座と、該台座を照らす向きで支持具又は拡大鏡に設けられる照明具とからなる工作用作業台であって、前記台座と支持具とが樹脂成形物であると共に、台座と支持具との接続部分が着脱又は回転可能に設けられることを特徴とする工作用作業台。
【請求項２】
前記台座に二カ所以上の凹部が設けられてなることを特徴とする請求項１記載の工作用作業台。
【請求項３】
前記凹部が、深さの異なる二種類の凹部を連接して設けられることを特徴とする請求項２記載の工作用作業台。
【請求項４】
前記凹部内に、台座表面より低位置に形成される段部が設けられることを特徴とする請求項２記載の工作用作業台。
【請求項５】
前記台座に筆置きが設けられてなることを特徴とする請求項１乃至４のいずれかに記載の工作用作業台。
【請求項６】
前記台座に飛散防止壁が着脱自在に設けられてなることを特徴とする請求項１乃至５のいずれかに記載の工作用作業台。
【発明の詳細な説明】
【技術分野】
【０００１】
本発明は工作用作業台に関する。更には、プラモデル等の模型玩具を作製する際に有用な工作用作業台に関する。
【背景技術】
【０００２】
従来より、精密部品の組み立て等に用いられる工業用作業台において、環状の照明灯の中央にガラス製レンズを配置した拡大鏡を備えた作業台が開示されている（例えば、特許文献１参照）。
前記作業台は工業用に用いられるものであり、照明灯やガラス製レンズのサイズが大きく、重量が重いものが適用されている。そのため、作業台の転倒や破損を防止する目的で、拡大鏡を支える支持具や台座に、強度及び重量を有する金属加工品を用いている。
【特許文献１】実開平３−７１３１６号の図面及び明細書
【０００３】
しかしながら、前記作業台は、一定位置での使用が前提である工業用作業台であるため、持ち運び易さ（輸送性）や収納性が考慮されていないと共に、製造コストが高くなり、高価格なものとなってしまうものであった。
【発明の開示】
【発明が解決しようとする課題】
【０００４】
本発明は、前記従来の問題を解決するものであって、収納や持ち運びが容易であると共に、加工性が高く、安価に製造できる工作用作業台を提供するものである。
【課題を解決するための手段】
【０００５】
本発明は、拡大鏡と、該拡大鏡を支持する角度調整可能な支持具と、該支持具と接続される台座と、該台座を照らす向きで支持具又は拡大鏡に設けられる照明具とからなる工作用作業台であって、前記台座と支持具とが樹脂成形物であると共に、台座と支持具との接続部分が着脱又は回転可能に設けられることを要件とする。
更に、前記台座に二カ所以上の凹部が設けられてなること、前記凹部が、深さの異なる二種類の凹部を連接して設けられること、前記凹部内に、台座表面より低位置に形成される段部が設けられることを要件とする。
更には、前記台座に筆置きが設けられてなること、前記台座に飛散防止壁が着脱自在に設けられてなることを要件とする。
【発明の効果】
【０００６】
本発明の請求項１により、収納や持ち運びが容易に行うことができる工作用作業台を安価に製造できる。
【０００７】
本発明の請求項２により、作業台のスペース内にデカールシール用プールや塗料ビン保持部を形成できる。
【０００８】
本発明の請求項３により、台座上に直接水を張ることができ、デカールシール（水貼りシール）の貼付を容易に行うことができる。
【０００９】
本発明の請求項４により、一つの凹部に、形状や径の異なる塗料ビン等を複数保持でき、転倒することを防止できる。
【００１０】
本発明の請求項５により、台座上に筆を置いた際に筆が転落したり、塗料が付着することを防止できる。
【００１１】
本発明の請求項６により、作業時に広い作業スペースを確保でき、部材切断時等の必要な場合に応じて飛散防止壁をセットすることで、部品やランナーの飛散を防止できる。
【発明を実施するための最良の形態】
【００１２】
本発明の工作用作業台は、非使用時における収納性や移動性に優れ、プラモデル等の模型玩具の作製時に使用する家庭用として有用なものであって、拡大鏡と、該拡大鏡を支持する角度調整可能な支持具と、該支持具と着脱自在に接続される台座と、該台座を照らす向きで支持具又は拡大鏡に設けられる照明具とから構成されるものである。
【００１３】
前記拡大鏡としては、ガラス製、樹脂製等の汎用のものが任意の形状で適宜用いられるが、低コストで製造できて軽量であることから、樹脂製のものが好適に用いられる。
【００１４】
前記照明具は、台座を照らすことができる位置に設けられ、蛍光管、ＬＥＤ等の汎用のものが適宜用いられるが、軽量であることからＬＥＤが好適に用いられる。また、前記照明具は、台座上を的確に照射するために、拡大鏡又は拡大鏡近傍に配置することが好ましい。
【００１５】
前記支持具は、成形性がよく、軽量且つ低コストであることから樹脂成形物によって形成される。また、前記支持具は、一箇所以上の角度調節軸又は可撓部を備え、作業姿勢に応じて拡大鏡や照明具の位置や角度調整が可能であり、非使用時には折り畳むことにより収納スペースを小さくすることができる。
更に、前記支持具は、作業スペースとなる台座に接続されており、これらの接続部分は、凹凸ジョイントやボールジョイント等を用いることで着脱又は回転可能な構造となっている。
【００１６】
前記台座は、作業スペースとなる樹脂成形物である。特に、前記台座の下部に空洞部分を設けることで、該空洞部分にバッテリーを配置したり、拡大鏡と照明具を備える支持具を折り畳み収容できる構造とすることが可能である。
【００１７】
更に、前記台座には、工作時に有用な装備として、複数の凹部を設けることができる。前記凹部は、デカール用プールや塗料瓶保持部として用いられるものであり、デカール用プールとしては、深さの異なる二種類の凹部を連接して設け、深い方に水を張ってデカールシールを濡らし、浅い方に台紙から剥離されたシールを移動させ、目的物に貼着できる構成をとれる。これにより、目的物にデカールシールを容易且つ正確に貼付することができる。
また、塗料瓶保持部としては、一つの凹部内に複数種類の瓶の形状（外径）に合わせた係止用段部を台座表面より低位置になるように設けることで、一つの凹部で様々な形状の瓶を保持できるものとなる。
【００１８】
また、塗装用の筆を置くための筆置きを設け、非使用時に筆が転落したり、塗料が付着することを防止できるように構成することもできる。前記筆置きとしては、湾曲状やテーパー状の凹部を備えた横置き型や、孔部に立てて保持する縦置き型等が適用される。
【００１９】
更に、前記台座には少なくとも作業台の前方（手前）を開放する飛散防止壁を着脱自在に設けることができる。これにより部材切断時等には、飛散防止壁をセットし、部品やランナーの飛散を防止できると共に、塗装時や組み立て時には、飛散防止壁を外して広い作業スペースを確保できる。
【実施例】
【００２０】
本発明の実施例を図面に従って説明する。なお、本発明は実施例に限定されるものではない。
【００２１】
図１の工作用作業台１は、樹脂製レンズからなる拡大鏡２と、該拡大鏡２を介して視覚される位置を照射する照明具３と、該照明具３及び拡大鏡２を一端に支持し、他端に接続用凸部を備える支持具４と、前記接続用凸部と着脱自在に嵌合する接続用凹部を備える台座５とから構成されている。
【００２２】
前記支持具４はＡＢＳ樹脂からなる成形物であり、三ヵ所の角度調整軸４１を備え、使用時には拡大鏡２を適切な角度に固定でき、非使用時には折り畳んで収容できる構造となっている。また、一端に配設される接続用凸部は、台座５に設けられる接続用凹部と着脱可能且つ回転可能に係合される構成であるので、非使用時には台座５から取り外して別々に収容でき、使用時には拡大鏡２や支持具４の向きを調整できるものである。更に、前記接続用凸部をボールジョイントとし、支持具４を外すことなく台座５の下部に収容できる構成とすることも可能である。
【００２３】
前記照明具３は、支持具４の拡大鏡近傍に台座５を照らすように設けられ、背面に反射プレートを配する位置に設置される六個のＬＥＤによって構成されている。更に、照明具３には電源用コードが延設され、該コードの先端のプラグが電源部に着脱可能に接続されている。前記プラグが電源部に接続された状態でのスイッチ操作により点灯する。
【００２４】
前記台座５は、ＡＢＳ樹脂からなり、下部に空洞部分を形成した直方体成形物であって、該空洞部分の一部に乾電池を収容できる電源部を備えてなる。また、前記電源部には、アダプターにより外部から電力を供給することも可能である。
更に、前記空洞部分には、非使用時に拡大鏡２及び支持具４を折り畳んで収容できる収納スペースが設けられている。
【００２５】
前記台座５の表面（長方形状作業用スペース）には、デカールシール用プール５１として、深さの異なる二種類の凹部（水入れ５１１及びシール置き５１２）が連接して設けられている。
更に、台座５の奥部には、塗料や接着剤の瓶の転倒を防止する塗料瓶保持部５２として四カ所の凹部が設けられ、一つの凹部内に二種類の形状（外径）の異なる瓶を保持できるように保持用段部５２１を形成することで第一保持部（大径用）５２１、第二保持部（小径用）５２２が設けられている。
また、台座５の両側部には、塗装用の筆を置くための半円状凹部を備えた筆置き５３、小部品を挟んで保持するクリップを固定するクリップ孔５４、及び落下防止溝５５が設けられ、使用時における塗装筆や部品の転落や塗料の付着を防ぐことができるものとなっている。また、前記落下防止溝５５の長手方向の二辺の高さを異にすることで段差が設けられており、台座５上にカッティングマット等を配設した際に左右にずれることなく固定できる。更に、落下防止溝５５は台座５の前方（手前）に設けることもできる。
【００２６】
更には、前記台座５表面の奥部（塗料瓶保持部５２の手前）には、飛散防止壁６を着脱自在に保持するための保持溝５６が、台座５表面の横方向に延設されるように一体成形されている。部材切断時には、飛散防止壁６を保持溝５６にセットすることにより、部品やランナーの台座外への飛散を防止でき、塗装時及び組み立て時には、飛散防止壁６を外すことで広い作業スペースを確保することができる。更に、前記飛散防止壁６は、両側部をへの飛散を防止するための側壁を備えたものも使用できる。
【図面の簡単な説明】
【００２７】
【図１】本発明の工作用作業台の一実施例を示す斜視図である。
【図２】図１の工作用作業台の使用例を示す斜視図である。
【符号の説明】
【００２８】
１  工作用作業台
２  拡大鏡
３  照明具
４  支持具
４１  角度調整軸
５  台座
５１  デカールシール用プール
５１１  水入れ  
５１２  シール置き
５２  塗料瓶保持部
５２１  保持用段部（第一保持部）
５２２  第二保持部
５３  筆置き
５４  クリップ孔
５５  落下防止溝
５６  保持溝
６  飛散防止壁
【図１】
2006095608.tif 000003
【図２】
2006095608.tif 000004